(57)【要約】【課題】液晶表示パネルの背後に配置された表示媒体の視認性を向上することが可能な液晶表示装置を提供することを目的とする。【解決手段】  可変表示する表示媒体の前面側に配置された透過型の液晶表示パネル２と、液晶表示パネル２の外面にそれぞれ配置された一対の偏光板ＰＬ１及びＰＬ２と、を備え、液晶表示パネル２は、映像を表示可能に構成された映像表示部６Ａと、表示媒体が配置される領域に対応するほぼ矩形状の透過表示部６Ｂと、映像表示部６Ａと透過表示部６Ｂとの間に配置された遮光部６Ｃと、を有し、偏光板ＰＬ１及びＰＬ２のそれぞれは、表示媒体が配置される領域に対応してほぼ矩形状の開口部ＡＰを有し、開口部ＡＰを規定するエッジＥが液晶表示パネル２の遮光部６Ｃ上に位置することを特徴とする。【選択図】      図２
2006343728.tif 000002
【特許請求の範囲】
【請求項１】
可変表示する表示媒体の前面側に配置された透過型の液晶表示パネルと、
前記液晶表示パネルの外面にそれぞれ配置された一対の偏光板と、を備え、
前記液晶表示パネルは、映像を表示可能に構成されマトリクス状の複数の表示画素を備えた映像表示部と、前記表示媒体が配置される領域に対応するほぼ矩形状の透過表示部と、前記映像表示部と前記透過表示部との間に配置された枠状の遮光部と、を有し、
前記偏光板のそれぞれは、前記表示媒体が配置される領域に対応してほぼ矩形状の開口部を有し、前記開口部を規定するエッジが前記液晶表示パネルの遮光部上に位置することを特徴とする液晶表示装置。
【請求項２】
前記遮光部の内縁は、隣接する２つの直線部が円弧部によって接続された形状であることを特徴とする請求項１に記載の液晶表示装置。
【請求項３】
前記映像表示部は、表示画素間に配置された第１遮光層を備え、
前記遮光部は、前記第１遮光層と同一材料によって形成された第２遮光層を備えたことを特徴とする請求項１に記載の液晶表示装置。
【請求項４】
前記第２遮光層は、前記第１遮光層より幅広に形成されたことを特徴とする請求項３に記載の液晶表示装置。
【請求項５】
前記映像表示部は、マトリクス状の複数の表示画素に対応して配置されたカラーフィルタ層を備えたことを特徴とする請求項１に記載の液晶表示装置。
【請求項６】
前記透過表示部は、カラーフィルタ層及び遮光層を備えていないことを特徴とする請求項１に記載の液晶表示装置。
【請求項７】
さらに、前記液晶表示パネルと前記表示媒体との間に配置され前記液晶表示パネルをその背面側から照明する面光源装置を備え、
前記面光源装置は、光源と、
前記表示媒体と対向した開口部を有するとともに、前記光源から放射された放射光を前記液晶表示パネルに向けて出射する導光体と、
前記導光体から出射した出射光に所定の光学特性を付与する光学シートと、を備えたことを特徴とする請求項１に記載の液晶表示装置。
【請求項８】
前記液晶表示パネルは、表示画素毎に画素電極を備えたアレイ基板と、複数の表示画素に共通の対向電極を備えた対向基板と、前記アレイ基板と前記対向基板との間に保持された液晶層と、によって構成され、
前記カラーフィルタ層は、前記アレイ基板上に配置されたことを特徴とする請求項５に記載の液晶表示装置。
【請求項９】
前記液晶表示パネルは、表示画素毎に画素電極を備えたアレイ基板と、複数の表示画素に共通の対向電極を備えた対向基板と、前記アレイ基板と前記対向基板との間に保持された液晶層と、によって構成され、
前記カラーフィルタ層は、前記対向基板上に配置されたことを特徴とする請求項５に記載の液晶表示装置。
【発明の詳細な説明】
【技術分野】
【０００１】
この発明は、液晶表示装置に係り、特に、透過型の液晶表示パネル及びこれを照明する面光源装置を備えた液晶表示装置に関する。
【背景技術】
【０００２】
液晶表示装置は、軽量、薄型、低消費電力などの特徴を生かして、パーソナルコンピュータなどのＯＡ機器や情報端末機器などの表示装置として各種分野で利用されている。近年では、液晶表示装置は、スロットマシンなどの遊技機にも利用されている。遊技機用に搭載される液晶表示パネルは、例えばその筐体の正面に設けられている。
【０００３】
すなわち、液晶表示パネルの中央には、筐体の内部に収納した表示媒体例えば回転リールの絵柄に基づいた抽選結果を外部から目視可能とする透過部が形成されている。このような液晶表示パネルは、基本的には通常用途のものと同一構成であるが、透過部については、映像表示部に配置されるカラーフィルタの代わりにカラーフィルタと同等の厚みを有するスペーサが配置されている。また、液晶表示パネルを構成する一対の基板の外面には、全面に偏光板が配置されている（例えば、特許文献１参照。）。
【特許文献１】特開２００４−８７０５号公報
【発明の開示】
【発明が解決しようとする課題】
【０００４】
上述した構成の遊技機では、透過部を介した表示媒体の視認性を改善することが要求されている。すなわち、特許文献１に記載されているように、表示媒体は、液晶表示パネル及び一対の偏光板を介して目視される。このため、表示媒体の視認性は、液晶表示パネル及び一対の偏光板の透過率の影響を受ける。
【０００５】
この発明は、上述した問題点に鑑みなされたものであって、その目的は、液晶表示パネルの背後に配置された表示媒体の視認性を向上することが可能な液晶表示装置を提供することにある。
【課題を解決するための手段】
【０００６】
この発明の態様による液晶表示装置は、
可変表示する表示媒体の前面側に配置された透過型の液晶表示パネルと、
前記液晶表示パネルの外面にそれぞれ配置された一対の偏光板と、を備え、
前記液晶表示パネルは、映像を表示可能に構成されマトリクス状の複数の表示画素を備えた映像表示部と、前記表示媒体が配置される領域に対応するほぼ矩形状の透過表示部と、前記映像表示部と前記透過表示部との間に配置された枠状の遮光部と、を有し、
前記偏光板のそれぞれは、前記表示媒体が配置される領域に対応してほぼ矩形状の開口部を有し、前記開口部を規定するエッジが前記液晶表示パネルの遮光部上に位置することを特徴とする。
【発明の効果】
【０００７】
この発明によれば、液晶表示パネルの背後に配置された表示媒体の視認性を向上することが可能な液晶表示装置を提供することができる。
【発明を実施するための最良の形態】
【０００８】
以下、この発明の一実施の形態に係る液晶表示装置、特に遊技機用に利用可能な液晶表示装置について図面を参照して説明する。
【０００９】
図１及び図２に示すように、液晶表示装置１は、略矩形平板状の透過型の液晶表示パネル２を備えている。この液晶表示パネル２は、一対の基板すなわちアレイ基板３及び対向基板４と、これらの間に光変調層として保持された液晶層５と、によって構成されている。この液晶表示パネル２は、画像を表示可能なほぼ矩形状の有効部６を備えている。この有効部６は、マトリクス状に配置された複数の表示画素ＰＸによって構成されている。また、有効部６は、主に映像を表示可能に構成された映像表示部６Ａと、後述する表示媒体を目視可能とするほぼ矩形状の透過表示部６Ｂと、を有している。
【００１０】
アレイ基板３は、有効部６において、表示画素ＰＸの行方向に沿って延在する複数の走査線Ｙ、表示画素ＰＸの列方向に沿って延在する複数の信号線Ｘ、これら走査線Ｙと信号線Ｘとの交差部において表示画素ＰＸ毎に配置されたスイッチング素子７、スイッチング素子７に接続された画素電極８などを備えている。
【００１１】
スイッチング素子７は、例えば薄膜トランジスタ（ＴＦＴ）などで構成されている。このスイッチング素子７のゲート電極７Ｇは、対応する走査線Ｙに電気的に接続されている（あるいは走査線と一体に形成されている）。スイッチング素子７のソース電極７Ｓは、対応する信号線Ｘに電気的に接続されている（あるいは信号線と一体に形成されている）。スイッチング素子７のドレイン電極７Ｄは、対応する表示画素ＰＸの画素電極８に電気的に接続されている。
【００１２】
対向基板４は、有効部６において、複数の表示画素ＰＸに共通の対向電極９などを備えている。画素電極８及び対向電極９は、インジウム・ティン・オキサイド（ＩＴＯ）などの光透過性を有する導電材料によって形成されている。
【００１３】
これらアレイ基板３及び対向基板４は、それぞれの内面（アレイ基板３における画素電極８が配置された面及び対向基板４における対向電極９が配置された面）に配向膜１０Ａ及び１０Ｂを備えている。アレイ基板３及び対向基板４は、配向膜１０Ａ及び１０Ｂを対向させた状態で配設され、これらの間にギャップを形成する。液晶層５は、アレイ基板３と対向基板４とのギャップに封止された液晶組成物によって形成されている。
【００１４】
また、液晶表示パネル２において、アレイ基板３の外面及び対向基板４の外面には、それぞれ液晶層５の特性に合わせて偏光方向を設定した一対の偏光板ＰＬ１及びＰＬ２が配置されている。
【００１５】
カラー表示タイプの液晶表示装置では、液晶表示パネル２は、複数種類の表示画素、例えば赤（Ｒ）を表示する赤色画素、緑（Ｇ）を表示する緑色画素、青（Ｂ）を表示する青色画素を有している。図２に示した例の液晶表示パネル２は、対向基板４の内面に、赤色画素に対応して赤色の主波長の光を透過する赤色カラーフィルタＣＲを備え、緑色画素に対応して緑色の主波長の光を透過する緑色カラーフィルタＣＧを備え、さらに、青色画素に対応して青色の主波長の光を透過する青色カラーフィルタＣＢを備えている。
【００１６】
このような構成の液晶表示パネル２は、矩形枠状のベゼルカバー１１と面光源装置１５との間に配置されている。すなわち、面光源装置１５は、その表面を液晶表示パネル２の背面側（アレイ基板側）に対向させた状態で、液晶表示パネル２とともにベゼルカバー１１と一体化されており、液晶表示パネル２を背面側から照明する。
【００１７】
液晶表示パネル２に駆動信号を供給するドライバ回路１２は、フレキシブルなプリント配線基板１３を介して液晶表示パネル２における一側縁に電気的に接続されている。このドライバ回路１２は、プリント配線基板１３を湾曲させることにより、面光源装置１５の裏面側に配置される。
【００１８】
図３に示すように、面光源装置１５は、光源部２０、導光体２１などを備えている。光源部２０は、光源としての冷陰極管２２及びランプリフレクタ２３を備えて構成されている。すなわち、冷陰極管２２は、矩形状の導光体２１の長手方向に延在する細長い円筒状の光源である。ランプリフレクタ２３は、冷陰極管２２から放射された放射光を導光体２１に向けて反射するものであり、冷陰極管２２の周囲を取り囲むように配置されている。
【００１９】
導光体２１は、光透過性を有するアクリル系樹脂やポリカーボネート系樹脂などの樹脂材料により形成されている。ここでは、導光体２１は、略矩形状に成型されており、全体に亘って略均一な厚さに形成されている。この導光体２１は、液晶表示パネル２側に面した第１主面２１ｂと、この第１主面２１ｂに対向した第２主面２１ｄと、これら第１主面２１ｂと第２主面２１ｄとを接続する第１側面２１ａ及び第２側面２１ｃとを有している。
【００２０】
この実施の形態では、光源部２０は、導光体２１の一対の長辺２１Ｌに沿って配置されている。すなわち、冷陰極管２２は、導光体２１の長辺２１Ｌに沿った第１側面２１ａ及び第２側面２１ｃに対して略平行に対向するように配置されている。つまり、導光体２１の第１側面２１ａ及び第２側面２１ｃは、冷陰極管２２からの放射光が入射する光入射面に相当する。
【００２１】
このような構成の導光体２１は、第１側面２１ａ及び第２側面２１ｃを介して入射した冷陰極管２２からの放射光を伝搬し、第１主面２１ｂ及び第２主面２１ｄから出射可能である。つまり、導光体２１の第１主面２１ｂ及び第２主面２１ｄは、導光体２１の内部に入射した光を出射する出射面に相当する。
【００２２】
略矩形状の光学シート２４は、導光体２１の第１主面２１ｂを覆うように配置されている。この光学シート２４は、導光体２１の第１主面２１ｂから出射された出射光に対して所定の光学特性を付与するものであり、例えば、第１主面２１ｂからの出射光を集光する集光シート、及び、第１主面２１ｂからの出射光を拡散する拡散シートなどである。
【００２３】
また、略矩形状の光学シート２５は、導光体２１の第２主面２１ｄを覆うように配置されている。この光学シート２５は、導光体２１の第２主面２１ｄから出射された出射光を再び導光体２１に向けて反射する反射シートである。これらの光源部２０、導光体２１、光学シート２４及び２５は、略矩形状のフレーム３０に収容されている。
【００２４】
上述したような構成の液晶表示装置は、以下のように動作する。すなわち、一対の光源部２０の冷陰極管２２に電気エネルギを供給して、冷陰極管２２を発光させる。これらの冷陰極管２２から放射された放射光は、冷陰極管２２を覆うランプリフレクタ２３の内面にて反射され、それぞれ導光体２１の第１側面２１ａ及び第２側面２１ｃに向けて導出される。導光体２１の第１側面２１ａ及び第２側面２１ｃから入射した入射光は、導光体２１の内部を伝搬して、導光体２１の第１主面２１ｂ及び第２主面２１ｄに向けて屈折または反射される。導光体２１の第２主面２１ｄから出射された出射光は、光学シート２５により再び導光体２１の内部に向けて反射される。
【００２５】
導光体２１の第１主面２１ｂから出射された出射光は、光学シート２４を通過する際に適度に集光されたり、適度に拡散されたりするなどの所定の光学特性が付与される。これにより、導光体２１の第１主面２１ｂから出射された出射光の輝度が向上され、且つ、均一化される。
【００２６】
面光源装置１５からの照明光、すなわち光学シート２４を通過した光は、液晶表示パネル２の裏面側（アレイ基板側）に導出される。液晶表示パネル２に導出された照明光は、液晶表示パネル２の有効部６を選択的に透過する。これにより、液晶表示パネル２の有効部６に画像が表示される。
【００２７】
次に、スロットマシンなどの遊技機用として利用される液晶表示装置１について説明する。すなわち、図１及び図４に示すように、遊技機は、筐体１００の内部において可変表示する表示媒体として、回転自在に配置された機械式の回転リール１１０を備えている。この回転リール１１０は、回転軸Ｏを中心として回転可能な複数、例えば３個の円筒状のリール本体１１１と、リール本体１１１の円筒面に貼付された帯状のリールテープ１１２と、を備えている。リールテープ１１２は、等間隔に配置された複数の絵柄を有している。リール本体１１１は、回転軸Ｏの伸びる方向に沿って並んでいる。
【００２８】
液晶表示装置１は、筐体１００の内部における回転リール１１０の前面側（すなわち観察者側）に配置されている。つまり、液晶表示パネル２は回転リール１１０の前面側に配置され、また、面光源装置１５は液晶表示パネル２と回転リール１１０との間に配置されている。筐体１００は、液晶表示装置１に表示された画像を目視可能とする窓部１０２を有しており、この窓部１０２にガラス板などの光透過性を有する保護板１０３を備えている。
【００２９】
このような液晶表示装置１に搭載される面光源装置１５は、その略中央に回転リール１１０の配置位置に対応して開口部１５Ａを有している。すなわち、導光体２１は、回転リール１１０に対向した開口部２１Ａを有している。また、光学シート２４も同様に、開口部２１Ａに対応した位置に開口部２４Ａを有している。さらに、光学シート２５も同様に、開口部２１Ａに対応した位置に開口部２５Ａを有している。このような面光源装置１５の開口部１５Ａは、略矩形状であり、面光源装置１５の背後に位置する回転リール１１０上の所定数の絵柄を目視可能としている。
【００３０】
これにより、導光体２１の重量が軽減され、液晶表示装置１の軽量化が可能となる。また、回転リール１１０は、面光源装置１５を介することなく目視可能となるため、回転リール１１０の視認性を向上することが可能となる。
【００３１】
ところで、液晶表示パネル２は、上述したように、有効部６において、映像表示部６Ａ及び透過表示部６Ｂを有している。映像表示部６Ａは、マトリクス状に配置された表示画素ＰＸ間にブラックマトリクスとして機能する第１遮光層ＢＭ１を備えている。また、図２に示した例のカラー表示タイプの液晶表示パネル２では、マトリクス状の複数の表示画素ＰＸに対応して配置されたカラーフィルタ層Ｃ（Ｒ、Ｇ、Ｂ）を備えている。
【００３２】
一方で、透過表示部６Ｂは、回転リール１１０が配置される領域に対応してほぼ矩形状に形成されている。透過表示部６Ｂは、図２に示した例のカラー表示タイプの液晶表示パネル２であっても、遮光層やカラーフィルタ層は備えていない。
【００３３】
このような構成の液晶表示パネル２は、有効部６において、映像表示部６Ａと透過表示部６Ｂとの間に遮光部６Ｃを有している。この遮光部６Ｃは、矩形状の透過表示部６Ｂを囲むように映像表示部６Ａと透過表示部６Ｂとの間に枠状に配置された第２遮光層ＢＭ２を備えている。なお、図２に示した例では、透過表示部６Ｂ及び遮光部６Ｃは、対向電極９及び配向膜１０Ｂを備えているが、映像を表示しない領域であるため、必ずしも対向電極９及び配向膜１０Ｂを備えている必要はない。
【００３４】
このような液晶表示パネル２の外面（すなわちアレイ基板３の外面及び対向基板４の外面）に配置される一対の偏光板ＰＬ１及びＰＬ２は、それぞれ回転リール１１０が配置される領域に対応してほぼ矩形状の開口部ＡＰを有している。このため、回転リール１１０は、保護板１０３及び液晶表示パネル２のみを介して視認される。つまり、回転リール１１０の視認性は、液晶表示パネル２における遮光層やカラーフィルタ層の影響を受けないだけでなく、一対の偏光板ＰＬ１及びＰＬ２の透過率の影響を受けることがない。したがって、回転リール１１０の視認性をさらに向上することができる。
【００３５】
また、このような偏光板ＰＬ１及びＰＬ２は、液晶表示パネル２の外面に接着剤を介して貼り付けられるが、開口部ＡＰを規定するエッジＥ付近に、バリが生じたり、接着不良によって一部が剥離したりすることがあり、見栄えが悪化するおそれがある。特に、エッジＥが映像表示部６Ａや透過表示部６Ｂに重なると、背景が明るいため、このようなときの見栄えが問題となりやすい。
【００３６】
そこで、この実施の形態においては、これらの一対の偏光板ＰＬ１及びＰＬ２は、それぞれの開口部ＡＰを規定するエッジＥが液晶表示パネル２の遮光部６Ｃ上に位置するように配置されている。
【００３７】
すなわち、図５に示すように、遮光部６Ｃの幅（すなわち第２遮光層ＢＭ２の幅）Ｗは、映像表示部６Ａと透過表示部６Ｂとの間隔に相当し、例えば、３ｍｍに設定されている。偏光板ＰＬ１及びＰＬ２の開口部ＡＰのサイズは、遮光部６Ｃの内縁（透過表示部６Ｂのエッジ）Ｅｉｎで囲まれる領域のサイズより大きく、且つ、遮光部６Ｃの外縁（映像表示部６Ａのエッジ）Ｅｏｕｔで囲まれる領域のサイズより小さい。このため、開口部ＡＰを規定するエッジＥは、全体に亘って遮光部６Ｃに重なる。なお、ここでのサイズとは、ほぼ矩形状の開口部もしくは領域の長辺及び短辺のそれぞれの長さに対応する。
【００３８】
これにより、例えエッジＥ付近にバリが生じたり、エッジＥ付近の偏光板の一部が剥離したりしたとしても、エッジＥが遮光部６Ｃに重なるため、背景が黒色となり、見栄えの悪化を防止することが可能となる。また、遮光部６Ｃは、偏光板ＰＬ１及びＰＬ２の液晶表示パネル２への接着精度を考慮して、ある程度幅広に形成されており、偏光板ＰＬ１及びＰＬ２の液晶表示パネル２への接着位置に若干のずれが生じたとしても、エッジＥを遮光部６Ｃに重ねることは可能であり、見栄えの悪化を防止することが可能となる。
【００３９】
また、透過表示部６Ｂは、カラーフィルタや遮光層を備えていないため、映像表示部６Ａ付近で液晶層のギャップムラや液晶分子の配向ムラに起因した表示不良が発生したとしても、映像表示部６Ａと透過表示部６Ｂとの間に設けた遮光部６Ｃによって遮光されるため、このような問題も解決することができる。
【００４０】
上述した実施の形態においては、遮光部６Ｃの内縁Ｅｉｎは、ほぼ矩形状に形成したが、この例に限らない。例えば、図６に示すように、内縁Ｅｉｎは、隣接する２つの直線部が円弧部によって接続された形状であっても良い。
【００４１】
すなわち、角部を有する矩形状の開口部ＡＰを高い加工精度で偏光板ＰＬ１及びＰＬ２に形成することは、製造コストの増大を招くとともに、製造歩留まりの低下を招くおそれがある。十分な加工精度が得られない場合には、形成した開口部ＡＰの角部付近にバリ等が形成されるおそれがある。
【００４２】
そこで、図６に示すように、偏光板ＰＬ１及びＰＬ２は、開口部ＡＰのエッジＥが角部を持たない形状に形成されることがある。すなわち、図６に示した例では、エッジＥは、四方に配置された４つの直線部Ｅ１、Ｅ２、Ｅ３、Ｅ４と、直線部Ｅ１及びＥ２を接続する円弧部Ｃ１と、直線部Ｅ２及びＥ３を接続する円弧部Ｃ２と、直線部Ｅ３及びＥ４を接続する円弧部Ｃ３と、直線部Ｅ１及びＥ４を接続する円弧部Ｃ４と、を有している。各円弧部Ｃ１、Ｃ２、Ｃ３、Ｃ４の曲率中心は、開口部ＡＰの内側に位置している。つまり、各円弧部は、開口部ＡＰの外側に向かって窪んでいる。このため、各円弧部と各直線部とが角部を持つことなしに接続される。このような形状の開口部ＡＰを形成するためには、高い加工精度で角部を形成する必要がなく、製造コストの増大や製造歩留まりの低下を抑制できる。
【００４３】
一方、遮光部６Ｃは、このような形状の開口部ＡＰを有した偏光板ＰＬ１及びＰＬ２に対応するように、少なくとも内縁Ｅｉｎは、四方に配置された４つの直線部Ｅｉｎ１、Ｅｉｎ２、Ｅｉｎ３、Ｅｉｎ４と、直線部Ｅｉｎ１及びＥｉｎ２を接続する円弧部Ｃｉｎ１と、直線部Ｅｉｎ２及びＥｉｎ３を接続する円弧部Ｃｉｎ２と、直線部Ｅｉｎ３及びＥｉｎ４を接続する円弧部Ｃｉｎ３と、直線部Ｅｉｎ１及びＥｉｎ４を接続する円弧部Ｃｉｎ４と、を有している。各円弧部Ｃｉｎ１、Ｃｉｎ２、Ｃｉｎ３、Ｃｉｎ４の曲率中心は、内縁Ｅｉｎで囲まれた領域の内側に位置している。このため、各円弧部と各直線部とが角部を持つことなしに接続される。これにより、高い加工精度を必要とすることなく、見栄えの悪化を防止することが可能となる。
【００４４】
図２に示したような構成の液晶表示パネル２においては、遮光部６Ｃに配置される第２遮光層ＢＭ２は、映像表示部６Ａに配置される第１遮光層ＢＭ１と同一材料によって形成可能しても良い。つまり、第１遮光層ＢＭ１及び第２遮光層ＢＭ２は同一工程で形成可能であり、製造工程数の増加及び製造コストの増加を招くことはない。
【００４５】
また、遮光部６Ｃに配置される第２遮光層ＢＭ２は、偏光板ＰＬ１及びＰＬ２の接着精度を考慮した幅Ｗを有するように形成される（例えばｍｍオーダー）のに対して、映像表示部６Ａに配置される第１遮光層ＢＭ１は、表示画素ＰＸの間を遮光するように形成される（例えばμｍオーダー）。このため、第２遮光層ＢＭ２は、第１遮光層ＢＭ１より幅広に形成されている。
【００４６】
以上説明したように、この実施の形態に係る遊技機に利用可能な液晶表示装置によれば、面光源装置の導光体は、表示媒体である回転リールが設けられた位置に対応して開口部を有している。これにより、導光体の重量が軽減され、液晶表示装置の軽量化が可能となる。また、偏光板は、回転リールが設けられた位置に対応して開口部を有している。このため、回転リールは、面光源装置及び偏光板を介することなく、カラーフィルタ層及び遮光層を備えていない液晶表示パネルの透過表示部を介して目視可能となるため、回転リールの視認性を向上することが可能となる。
【００４７】
また、偏光板は、その開口部を規定するエッジが液晶表示パネルの遮光部に重なるように配置されている。このため、偏光板のエッジ付近でバリや剥がれが生じても、背景が黒色であるため、目立ちにくくなる。したがって、見栄えの悪化を防止することが可能となる。
【００４８】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４９】
例えば、図７に示すように、液晶表示パネル２は、アレイ基板３上に配置されたカラーフィルタ層Ｃ（Ｒ、Ｇ、Ｂ）を備えて構成されても良い。このようないわゆるカラーフィルタ・オン・アレイ構造においては、遮光性を有する金属材料によって形成された走査線や信号線がブラックマトリクス（第１遮光層）として機能する。一方、遮光部６Ｃに配置される第２遮光層ＢＭ２は、図２に示した構成例と同様に、対向基板４に備えられる。図７に示した例では、透過表示部６Ｂ及び遮光部６Ｃにスイッチング素子、画素電極、及び、カラーフィルタ層のいずれも配置していないが、映像表示部６Ａと同様にスイッチング素子を配置し、カラーフィルタ層に代えて透明樹脂層を配置し、透明樹脂層上に画素電極を配置しても良い。
【００５０】
このような構成においても、透過表示部６Ｂには、カラーフィルタ層も遮光層も配置せず、また、偏光板ＰＬ１及びＰＬ２に開口部ＡＰを形成することにより、表示媒体である回転リールの視認性を向上することが可能となる。また、開口部ＡＰを規定するエッジＥが遮光部６Ｃと重なるように偏光板を配置することにより、見栄えを改善することができる。
【図面の簡単な説明】
【００５１】
【図１】図１は、この発明の一実施の形態に係る液晶表示装置の構造を概略的に示す分解斜視図である。
【図２】図２は、図１に示した液晶表示装置に適用可能な液晶表示パネルの構造を概略的に示す断面図である。
【図３】図３は、図１に示した液晶表示装置に搭載される面光源装置の構造を概略的に示す分解斜視図である。
【図４】図４は、遊技機に利用される液晶表示装置の構造を概略的に示す断面図である。
【図５】図５は、図２に示した液晶表示パネルの遮光部と偏光板の開口部との位置関係を説明するための図である。
【図６】図６は、図２に示した液晶表示パネルの遮光部と偏光板の開口部との他の位置関係を説明するための図である。
【図７】図７は、図１に示した液晶表示装置に適用可能な他の液晶表示パネルの構造を概略的に示す断面図である。
【符号の説明】
【００５２】
１…液晶表示装置、２…液晶表示パネル、６…有効部、６Ａ…映像表示部、６Ｂ…透過表示部、６Ｃ…遮光部、１５…面光源装置、１５Ａ…開口部、２０…光源部、２１…導光体、２２…冷陰極管（光源）、２３…ランプリフレクタ、２４…光学シート、２５…光学シート、１００…筐体、１１０…回転リール、ＰＬ１…偏光板、ＰＬ２…偏光板、ＢＭ１…第１遮光層（ブラックマトリクス）、ＢＭ２…第２遮光層（枠状遮光層）、ＰＸ…表示画素
【図１】
2006343728.tif 000003
【図２】
2006343728.tif 000004
【図３】
2006343728.tif 000005
【図４】
2006343728.tif 000006
【図５】
2006343728.tif 000007
【図６】
2006343728.tif 000008
【図７】
2006343728.tif 000009